(57)【要約】      （修正有）【課題】複数種類のカードに対応できて、小型のカード用コネクタを提供するものである。【解決手段】形状の異なる複数種類のカードのいずれかを選択的に収納可能なカード収納領域が形成され、カードとの接続が可能な接点が設けられたハウジング３０と、第１のカードの挿入方向の前側部と当接する第１の当接部と、第１のカードより挿入方向の長さが短い第２のカードの挿入方向の前側部と当接し、第１のカードの収納領域内に配置され、かつ第１の当接部よりも挿入口側に配置された第２の当接部とを備え、カードと共に移動可能なスライダ４１と、スライダ４１を付勢する付勢部材４２と、スライダ４１を所定の位置に付勢部材４２の付勢力に抗して保持するロック部材４３と、を有し、第１のカードの挿入にともなって、第２の当接部がカードの厚さ方向に移動し、第１のカードと第１の当接部とが当接可能となる。【選択図】図２
2012124041.tif 000002
【特許請求の範囲】
【請求項１】
形状の異なる複数種類のカードのいずれかを選択的に収納可能なカード収納領域が形成され、前記カードに設けられた電極部との接続が可能な接点部と、前記複数種類のカードのうちの１種類である第１のカードの挿入方向の前側部と当接する第１の当接部と、前記複数種類のカードのうちの１種類で前記第１のカードより挿入方向の長さが短い第２のカードの挿入方向の前側部と当接し、前記第１のカードの収納領域内に配置されている第２の当接部と、が設けられたハウジングを有し、
前記第１のカードの挿入にともなって、前記第２の当接部が前記カードの厚さ方向に移動し、前記第１のカードと前記第１の当接部とが当接可能となることを特徴とするカード用コネクタ。
【請求項２】
形状の異なる複数種類のカードのいずれかを選択的に収納可能なカード収納領域が形成され、前記カードに設けられた電極部との接続が可能な接点部と、が設けられたハウジングと、
前記複数種類のカードのうちの１種類である第１のカードの挿入方向の前側部と当接する第１の当接部と、前記複数種類のカードのうちの１種類で前記第１のカードより挿入方向の長さが短い第２のカードの挿入方向の前側部と当接し、前記第１のカードの収納領域内に配置されている第２の当接部とを備え、挿入された前記カードと共に挿入方向および排出方向に移動可能なスライダと、
前記スライダを排出方向に付勢する付勢部材と、
カム溝が形成されたカム部材と前記カム溝内を摺動するロック部材とからなり、前記接点部と前記電極部とが電気的に接続する位置に前記スライダを前記付勢部材の付勢力に抗して保持するロック機構と、を有し、
前記第１のカードの挿入にともなって、前記第２の当接部が前記カードの厚さ方向に移動し、前記第１のカードと前記第１の当接部とが当接可能となることを特徴とするカード用コネクタ。
【請求項３】
前記カードの厚さ方向に移動可能に配置され、前記複数種類のカードの挿着位置を切り換える仕切板を有し、
前記第１のカードの挿入にともなって、前記仕切板が前記カードの厚さ方向に移動するとき、前記仕切板の移動により、前記第２の当接部が前記カードの厚さ方向に移動することを特徴とする請求項１または請求項２に記載のカード用コネクタ。
【請求項４】
前記第２の当接部は、弾性を有する金属板から形成され、弾性により前記第２の当接部が前記カードの厚さ方向に移動することを特徴とする請求項１または請求項２に記載のカード用コネクタ。
【請求項５】
前記金属板には、前記第２の当接部を支持する補強部とともに、前記複数種類のカードの挿入方向で奥方に位置する前記ハウジングの壁と当接可能な係合部とが形成されていることを特徴とする請求項１ないし請求項４のいずれかに記載のカード用コネクタ。
【請求項６】
前記第２の当接部は、弾性を有する金属板から形成され、弾性により前記第２の当接部が前記カードの厚さ方向に移動することを特徴とする請求項３に記載のカード用コネクタ。
【請求項７】
前記金属板には、前記第２の当接部を支持する補強部とともに、前記複数種類のカードの挿入方向で奥方に位置する前記ハウジングの壁と当接可能な係合部とが形成されていることを特徴とする請求項６に記載のカード用コネクタ。
【請求項８】
前記仕切板は、前記カードの厚さ方向に移動するときに、前記金属板と当接し、前記第２の当接部を前記カードの厚さ方向に移動させることを特徴とする請求項６または請求項７に記載のカード用コネクタ。
【請求項９】
前記金属板は、前記仕切板の動きに連動して前記カードの厚さ方向へ移動したとき、挿入された前記第１のカードによって更に前記カードの厚さ方向へ移動させられ、前記仕切板とは接触しない位置となることを特徴とする請求項６ないし請求項８のいずれかに記載のカード用コネクタ。
【発明の詳細な説明】
【技術分野】
【０００１】
本発明は、カード用コネクタに関し、特に、形状の異なる複数種類のカードに対応できるカード用コネクタに関するものである。
【背景技術】
【０００２】
デジタルカメラやデジタルビデオカメラなどの電子機器では、撮影した画像をメモリーカード（以後、カードとする）と称される概ね矩形で板状の記録媒体に保存されることが多い。カード用コネクタは、カードを収納可能な領域に収納し、電子機器とカードとを接続するために用いられる。
【０００３】
カードには形状の異なる複数種類のカードが存在するため、ひとつのカード用コネクタで複数種類のカードへ対応することが求められている。また、昨今、デジタルカメラなどの電子機器では小型化した製品が増えており、カード用コネクタにも小型化が求められている。
【０００４】
小型化し、複数種類のカードに対応できるカード用コネクタとしては、下記の特許文献１に記載のカード用コネクタが知られている。
【先行技術文献】
【特許文献】
【０００５】
【特許文献１】特開２００４−２８０６８７号公報
【発明の概要】
【発明が解決しようとする課題】
【０００６】
ここで、カードの大きさ（長さ、幅、厚さ）について定義する。図３のように、カードの電極部が設けられている面において、電極部のある側からそれに対向する側までの寸法（Ｌ１、Ｌ２）を長さとし、長さ方向に直交する方向の寸法（Ｗ１、Ｗ２）を幅とし、電極部が設けられている面からその裏面までの寸法（Ｔ１、Ｔ２）を厚さとする。
【０００７】
特許文献１には、幅、長さ、厚さの異なる２種類のカードに対応したカード用コネクタについて記載されている。特許文献１に記載のカード用コネクタでは、挿入されたカードの幅方向をガイドするために、ブロック状のカードガイド部が設けられている。カードガイド部は、カードの幅方向の両内壁に沿って対向するように数箇所設けられている。対向して設けられたカードガイド部の間隔は、幅の狭いカードの幅寸法にあわせて設定されている。
【０００８】
カードガイド部は回転可能に配置され、幅の狭いカードが挿入された場合はそのままカードの幅方向をガイドするが、幅の広いカードが挿入された場合には、カードガイド部とカードとが当接し、カードと当接したカードガイド部がカードの挿入方向に９０°回転し、カードの挿入スペースを確保すると共に、カードと当接した面でカードの幅方向をガイドする構造となっている。
【０００９】
カードガイド部を回転させる構造としているため、回転に必要なスペースが必要となり、特許文献１に記載のカード用コネクタはカードガイド部の回転構造が無いカード用コネクタと比較すると、カードの幅方向の寸法が大きくなっている。
【００１０】
この様に、大きさの異なる複数種類のカードに対応できる構造とすると、異なる大きさのカードをガイドや係止するための構造が必要となるため、市場のニーズに反して外形寸法が大きくなりやすいという課題がある。
【００１１】
本発明は、上述した課題を解決して、複数種類のカードに対応できて、小型のカード用コネクタを提供するものである。
【課題を解決するための手段】
【００１２】
本発明は、形状の異なる複数種類のカードのいずれかを選択的に収納可能なカード収納領域が形成され、前記カードに設けられた電極部との接続が可能な接点部と、前記複数種類のカードのうちの１種類である第１のカードの挿入方向の前側部と当接する第１の当接部と、前記複数種類のカードのうちの１種類で前記第１のカードより挿入方向の長さが短い第２のカードの挿入方向の前側部と当接し前記第１のカードの収納領域内に配置されている第２の当接部と、が設けられたハウジングを有し、前記第１のカードの挿入にともなって、前記第２の当接部が前記カードの厚さ方向に移動し、前記第１のカードと前記第１の当接部とが当接可能となる、という特徴を有する。
【００１３】
これにより、前記第２の当接部が前記カードの厚さ方向に移動可能とすることで、前記カードの幅方向から当接させずに前記カードの挿入位置を調整することが可能となり、前記カードの幅方向の寸法が大きくなることを抑えることができ、カード用コネクタの小型化、薄型化が可能となるという効果を奏する。
【００１４】
また、本発明は、形状の異なる複数種類のカードのいずれかを選択的に収納可能なカード収納領域が形成され、前記カードに設けられた電極部との接続が可能な接点部と、が設けられたハウジングと、前記複数種類のカードのうちの１種類である第１のカードの挿入方向の前側部と当接する第１の当接部と、前記複数種類のカードのうちの１種類で前記第１のカードより挿入方向の長さが短い第２のカードの挿入方向の前側部と当接し、前記第１のカードの収納領域内に配置されている第２の当接部とを備え、挿入された前記カードと共に挿入方向および排出方向に移動可能なスライダと、前記スライダを排出方向に付勢する付勢部材と、カム溝が形成されたカム部材と前記カム溝内を摺動するロック部材とからなり、前記接点部と前記電極部とが電気的に接続する位置に前記スライダを前記付勢部材の付勢力に抗して保持するロック機構と、を有し、前記第１のカードの挿入にともなって、前記第２の当接部が前記カードの厚さ方向に移動し、前記第１のカードと前記第１の当接部とが当接可能となる、という特徴を有する。
【００１５】
これにより、前記第２の当接部が前記カードの厚さ方向に移動可能とすることで、前記カードの幅方向から当接させずに前記カードの挿入位置を調整することが可能となり、前記カードの幅方向の寸法が大きくなることを抑えることができ、排出機構を備えていてもカード用コネクタを小型化できるという効果を奏する。
【００１６】
また、本発明は、前記カードの厚さ方向に移動可能に配置され、前記複数種類のカードの挿着位置を切り換える仕切板を有し、前記第１のカードの挿入にともなって、前記仕切板が前記カードの厚さ方向に移動するとき、前記仕切板の移動により、前記第２の当接部が前記カードの厚さ方向に移動する、という特徴を有する。
【００１７】
これにより、前記第１のカードの挿入にともなって前記カードの厚さ方向に移動する前記仕切板の動きに連動して、前記第２の当接部を前記カードの厚さ方向に移動させることで、挿入された前記カードの種類の識別を行うと共に、前記第１の当接部と前記第２の当接部の切り換えができるという効果を奏する。
【００１８】
また、本発明は、前記第２の当接部は、弾性を有する金属板から形成され、弾性により前記第２の当接部が前記カードの厚さ方向に移動する、という特徴を有する。
【００１９】
これにより、前記第２の当接部を弾性を有する金属板から形成していることで、前記第２の当接部は、回転軸や摺動溝などの移動するための機構を設けず、弾性により撓ませることで簡易にカードの厚さ方向に移動可能となり、機構を簡易化することでカード用コネクタのサイズが大きくなることを抑えることができる。また、合成樹脂材で形成した場合に比べて、熱による変形や衝撃による欠損などが発生しにくく、より安定してカードの厚さ方向に移動させることができるという効果を奏する。
【００２０】
また、本発明は、前記金属板には、前記第２の当接部を支持する補強部とともに、前記複数種類のカードの挿入方向で奥方に位置する前記ハウジングの壁と当接可能な係合部とが形成されている、という特徴を有する。
【００２１】
これにより、前記第２の当接部が前記補強部に支持され、前記係合部がハウジングの壁と当接することで、前記金属板がカードの挿入方向へ変形することなく安定してカードを保持することができるとともに、前記係合部がハウジングの壁と当接することで前記金属板全体を支持でき、より安定してカードを保持することができるという効果を奏する。
【００２２】
また、本発明は、前記仕切板は、前記カードの厚さ方向に移動するときに、前記金属板と当接し、前記第２の当接部を前記カードの厚さ方向に移動させる、という特徴を有する。
【００２３】
これにより、前記仕切板が前記金属板に当接して、前記第２の当接部をカードの厚さ方向に移動させる構造としたことで、簡易な構成で前記第２の当接部を前記仕切板の移動にともなって前記カードの厚さ方向に確実に移動させることができ、構成部品の増加を抑えることでカード用コネクタの小型、薄型化の効果を奏する。
【００２４】
また、本発明は、前記金属板は、前記仕切板の動きに連動して前記カードの厚さ方向へ移動したとき、挿入された前記第１のカードによって更に前記カードの厚さ方向へ移動させられ、前記仕切板とは接触しない位置となる、という特徴を有する。
【００２５】
これにより、前記金属板を前記仕切板と接触しない位置まで移動させたことで、カードの挿抜方向へ移動する時に前記金属板と前記仕切板との摩擦はなく、容易に前記カードの挿抜を行なうことができるという効果を奏する。
【発明の効果】
【００２６】
本発明のカード用コネクタは、前記第２の当接部が前記カードの厚さ方向に移動可能とすることで、前記カードの幅方向から当接させずに前記カードの挿入位置を調整することが可能となり、前記カードの幅方向の寸法が大きくなることを押さえることができ、排出機構の有無にかかわらずカード用コネクタの小型、薄型化が可能となるという効果を奏する。
【図面の簡単な説明】
【００２７】
【図１】実施形態のカード用コネクタを示す斜視図である。
【図２】実施形態のカード用コネクタの構成を示す分解斜視図である。
【図３】実施形態のカード用コネクタが対応するカードの外観図である。
【図４】構成部品の上ハウジング３１を示す図である。
【図５】構成部品の下ハウジング３２を示す図である。
【図６】構成部品のスライダ４１を示す図である。
【図７】構成部品の可動弾性部材４４を示す図である。
【図８】構成部品の仕切板５０を示す図である。
【図９】識別ユニット５の概略構造図である。
【図１０】第１のレバー５４と第２のレバー５５の組み込み位置を示す図である。
【図１１】カード別の配置位置の違いを示す図である。
【図１２】カード別の挿入位置の違いを示す図である。
【図１３】第１のカード１と第２のカード２の当接位置の違いを示す図である。
【図１４】その収納領域の最奥部における第２のカード２と仕切板５０の当接位置を示す図である。
【図１５】仕切板５０に連動した可動弾性部材４４の動きを示す図である。
【図１６】第１のカード１と可動弾性部材４４と仕切板５０の位置関係を示す図である。
【図１７】実施形態のカード用コネクタの構成を示す分解斜視図である。
【図１８】構成部品の下ハウジング７２を示す図である。
【図１９】構成部品の上ハウジング７１を示す図である。
【図２０】構成部品の可動弾性部材７３を示す図である。
【発明を実施するための形態】
【００２８】
なお、以下において、本発明の実施形態に係るカード用コネクタを具体的に説明するが、本発明は下記の実施形態に限定されるものではなく、要旨を逸脱しない範囲で種々変更して実施することが可能である。
【００２９】
［第１実施形態］
以下、本発明の第１実施形態について、図１ないし図１６を用いて説明する。
図１は、本実施形態のカード用コネクタを示す斜視図である。図２は、本実施形態のカード用コネクタの構造を示す分解斜視図である。
【００３０】
また、図３は、本実施形態のカード用コネクタが対応するカードを示す図である。本実施形態のカード用コネクタが対応するカードは、図３（ａ）に示す第１のカード１と図３（ｂ）に示す第２のカード２との２種類のカードである。第１のカード１の長さ寸法×幅寸法×厚さ寸法は、Ｌ１×Ｗ１×Ｔ１であり、同様に第２のカード２の寸法は、Ｌ２×Ｗ２×Ｔ２である。
【００３１】
第１のカード１と第２のカード２の長さ寸法×幅寸法×厚さ寸法を比較すると、Ｌ１＞Ｌ２、Ｗ１＞Ｗ２、Ｔ１＞Ｔ２であり、長さ寸法、幅寸法、厚さ寸法すべてにおいて第１のカード１の方が大きい。
【００３２】
本実施形態のカード用コネクタは、図１、図２のように、一端面に開口部を有し、内部が中空構造の概して薄型の直方体形状に形成されている。
【００３３】
本実施形態のカード用コネクタは、図１、図２のように、カードを内部に収納し、本実施形態のカード用コネクタが取り付けられた電子機器（デジタルカメラなど）とカードとの間でデータの読み込みと書き込みを可能とする収納ユニット３と、カード用コネクタに収納されたカードを排出する排出ユニット４と、挿入されたカードを識別し、装着位置を切り換える識別ユニット５と、から構成される。
【００３４】
収納ユニット３は、第１のカード１と電気的に接続可能な上ハウジング３１と、第２のカード２と電気的に接続可能な下ハウジング３２とからなり、第１のカード１の収納領域と第２のカード２の収納領域とを合わせたカード収納領域を有するハウジング３０と、前記カード収納領域上を覆うカバー３３と、からなる。
【００３５】
排出ユニット４は、カード挿入方向およびカード排出方向に移動可能なスライダ４１と、スライダ４１をカード排出方向に付勢する付勢バネ（付勢部材）４２と、付勢バネ４２の付勢力に抗してスライダ４１を所定の位置にロックさせるロックピン（ロック部材）４３と、一端がスライダ４１に係止され他端が第２のカード２の挿入時には当接可能で第１のカード１の挿入時にはカードの厚さ方向に移動可能な可動弾性部材（金属板）４４と、からなる。
【００３６】
識別ユニット５は、第１の仕切板５１と第２の仕切板５２とそれらを繋ぎ合わせる第３の仕切板５３とからなる仕切板５０と、第１の仕切板５１と下ハウジング３２とに係合する第１のレバー５４と、第２の仕切板５２と下ハウジング３２とに係合する第２のレバー５５とからなる。
【００３７】
次に、構成部品について説明する。
【００３８】
上ハウジング３１は、図４のように、合成樹脂材で板状部を有して形成されており、金属材でそれぞれの接点３１ａが第１のカード１の電極部と接触可能なように板状部から突出している。
【００３９】
下ハウジング３２は、図５のように、合成樹脂材で、概略枡形状に成形されている。一側壁は一部を除き開放され、カード挿入口３２ｂが形成され、カード挿入口３２ｂの左右側には、挿入されたカードをガイドするガイドレール３２ｃが設けられている。カード挿入口３２ｂに対向する壁側の内底面からは金属材でそれぞれの接点３２ａが第２のカード２の電極部と接触可能なように突出している。
【００４０】
また、図５において、カード挿入口３２ｂ側から接点３２ａ側へ向かう方向をカードの挿入方向、その逆方向をカードの排出方向とすると、下ハウジング３２は、カードの挿入方向に向かって左奥に排出ユニット４を配置する収納部３２ｄを有し、複数の接点３２ａとカード挿入口３２ｂ間の内底面には金属板で形成された片持ち梁状の支持部３２ｅが２本形成されている。
【００４１】
下ハウジング３２の複数の接点３２ａと上ハウジング３１の複数の接点３１ａとが対向するように重ねることでハウジング３０が構成される。
【００４２】
カバー３３は、図２のように、金属板の両端を同じ方向に９０°折り曲げた形状に形成されている。
【００４３】
スライダ４１は、図６のように、合成樹脂材で、上面部にスライダ４１を所定の位置に保持するためのカム溝（カム部材）４１ａを有し、一側面には第１のカード１と当接する第１の当接部４１ｂを有する腕部４１ｃが形成されている。
【００４４】
本実施形態ではロック機構を形成するカム部材がスライダ４１と一体に形成されているため、スライダ４１がカム溝４１ａを有する構成となっているが、カム部材と下ハウジング３２とが一体に形成された構成であってもよい。
【００４５】
付勢バネ４２は、図２のように、金属線材でコイル状に形成されている。
【００４６】
ロックピン４３は、図２のように、金属線材の両端を同じ方向に９０°折り曲げた形状に形成されている。
【００４７】
可動弾性部材４４は、図７のように、弾性を有する金属板が加工され一端がＴ字状に分かれて形成されている。Ｔ字状に分かれた一端である当接端４４ｄと、Ｕ字状に曲げ加工された係止端４４ｅを有する。当接端４４ｄのＴ字状に分かれた一端には第２のカード２と当接する第２の当接部４４ａが形成され、他端には下ハウジング３２のカード挿入方向最奥側の内壁と係合する係合部４４ｂが形成されている。また、第２の当接部４４ａの背面側には、補強部４４ｃが形成され、第２の当接部４４ａの背面と補強部４４ｃの面が垂直に交わる位置に配置される。
【００４８】
第１のレバー５４と第２のレバー５５は、図２のように、合成樹脂材で板状に形成され、長手方向の一端にスリットを有する。
【００４９】
第３の仕切板５３は、図８のように、合成樹脂材で概略板状に形成されている。
【００５０】
第１の仕切板５１は、図８のように、合成樹脂材で概略板状に形成され、第１のレバー５４と当接する第１の押圧部５１ａと、第３の仕切板５３と連結する第１の連結部５１ｂとを有する。
【００５１】
第２の仕切板５２は、図８のように、合成樹脂材で概略板状に形成され、第２のレバー５５と当接する第２の押圧部５２ａと、第３の仕切板５３と連結する第２の連結部５２ｂとを有する。
【００５２】
仕切板５０は、第３の仕切板５３の一端を第１の連結部５１ｂに連結し、他端を第２の連結部５２ｂに連結することで構成される。
【００５３】
次に、本実施形態のカード用コネクタの構造について説明する。
【００５４】
まず、スライダ４１は、カム溝４１ａを有する面の裏面が収納部３２ｄの内底面と当接し、腕部４１ｃが接点３２ａ方向に突出する向きで、カードの挿入方向および排出方向へ移動可能に収納部３２ｄに配置される。また、付勢バネ４２は、収納部３２ｄのカードの挿入方向奥側の内壁面とスライダ４１の間に配置され、スライダ４１を排出方向に付勢する。また、ロックピン４３は、一端を収納部３２ｄの排出方向側の内壁面に係合し、他端をカム溝４１ａ内に挿入させる。
【００５５】
これにより、スライダ４１がカードの挿入方向に押圧されると、スライダ４１は挿入方向へ移動し、ロックピン４３の一端はカム溝４１ａ内を移動可能な方向へ摺動する。その移動方向での最奥部で押圧を開放すると、スライダ４１は少し排出方向に戻った位置でロックされ、再度押圧されるとロックが解除され、その後は付勢バネ４２の付勢力により初期位置に自動復帰する、いわゆるプッシュ・プッシュ方式のロック機構が形成される。挿入されたカードはこの機構を用いてロックおよび排出される。
【００５６】
また、可動弾性部材４４は、第２の当接部４４ａをカード挿入口３２ｂ側に向けて、当接端４４ｄがカードの厚さ方向に移動可能に、係止端４４ｅをスライダ４１の腕部４１ｃに係止させる。これにより、第２の当接部４４ａは、第１のカード１の収納領域内に配置されるとともに、第１の当接部４１ｂよりも挿入口側に配置される。
【００５７】
次に、仕切板５０の組み込みの位置関係について、図９を用いて説明する。図９は第１のレバー５４と第２のレバー５５とカバー３３と仕切板５０と下ハウジング３２との位置関係とその動きを側面方向から見た模式図である。
【００５８】
仕切板５０は、図９（ａ）のように、収納ユニット３内で、支持部３２ｅの先端部に当接し、支持部３２ｅと上ハウジング３１との間に配置され、カバー３３側に付勢されている。また、仕切板５０は、第１の押圧部５１ａが収納部３２ｄ側のカード挿入口３２ｂ側に来るように配置される。
【００５９】
次に、第１のレバー５４と第２のレバー５５の組み込み位置について、図９と図１０を用いて説明する。図１０は第１のレバー５４と第２のレバー５５の組み込み位置を示す図である。
【００６０】
第１のレバー５４は、図１０のように、カード挿入口３２ｂから連なって収納部３２ｄ側にいた上に形成された側壁をスリット部で狭持し、傾倒可能に配置される。また、スリットのない側は、図９（ａ）のように、第１の押圧部５１ａとカバー３３との間に狭持される。
【００６１】
また、第２のレバー５５は、図１０のように、第１のレバー５４が配置された反対側にあるカード挿入口３２ｂから連なって収納部３２ｄ側に板状に形成された側壁をスリット部で狭持し、傾倒可能に配置される。また、スリットのない側は、図９（ａ）のように、第２の押圧部５２ａとカバー３３との間に狭持される。
【００６２】
このように、排出ユニット４と識別ユニット５とが収納ユニット３内に配置される。
【００６３】
次に、カードの配置位置の切り換え方法と、排出ユニット４とカードとの当接位置の切り替え動作とについて、図１１ないし図１３を用いて説明する。カードの配置位置の切り換えは、概略、図１１のように仕切板５０の位置によって接点３１ａ側または接点３２ａ側に振り分けられ、その際に排出ユニット４とカードとの当接位置の切り替えも行なわれる。以下に、詳細を説明する。
【００６４】
まず、サイズの小さな第２のカード２を挿入した場合について説明する。第２のカード２は、図１２（ａ）で示す下方向に電極部を有した面を向けて、電極部側から挿入される。第２のカード２は、図１２（ｂ）のように、図１２（ａ）の２点鎖線で示す位置Ａである左右のガイドレール３２ｃの間に挿入され、ガイドレール３２ｃの内側面に沿ってガイドされる。
【００６５】
第２のカード２は、図１３（ａ）のように、挿入途中でスライダ４１に係止された可動弾性部材４４の第２の当接部４４ａと当接し、第２の当接部４４ａを押圧し、スライダ４１を押し込みながらその収納領域での最奥部まで挿入される。その後、第２のカード２を挿入するための押圧を解除すると、スライダ４１は第２のカード２とともに、図１３（ｂ）のようにその移動方向での最奥部から少し戻った位置でロック機構によって保持される。
【００６６】
第２のカード２がその収納領域の最奥部まで挿入された後も、ユーザーによりさらに押圧されるケースがある。このとき、第２の当接部４４ａは背面を補強部４４ｃで補強されており、第２の当接部４４ａの反対端には係合部４４ｂが設けられ、押圧方向にあるハウジングの内壁と当接して押圧を受け止める為、押圧力により押圧方向へ当接位置が変化することを防止するという効果を奏する。
【００６７】
また、第２のカード２がその収納領域の最奥部まで挿入されたとき、図１４のように、第２のカード２は幅方向の一端側は第２の当接部４４ａに当接し、他端側は仕切板５０から接点３２ａの方向に突出したリブ部５２ｃに当接し、第２のカード２の両端が保持される。これにより、第２のカード２は傾くことがなくなり、電極部以外の場所で接点３２ａと当接し接点３２ａを塑性変形させることはなくなる。したがって、接点３２ａの塑性変形により第２のカード２と接点３２ａとの電気的接続が不安定になることを防止する。
【００６８】
また、第２のカード２が挿入または排出される際、仕切板５０は、接点３１ａを第２のカード２から遠ざかる方向へ弾性変形の範囲内で押し倒す。これにより、接点３１ａが移動途中の第２のカード２と当接して塑性変形することはなくなる。したがって、接点３１ａの塑性変形により第１のカード１と接点３１ａとの電気的接続が不安定になることを防止する。
【００６９】
また、第２のカード２の前端側にはテーパ面が設けられているが、テーパ面ではなく平坦面と第２の当接部４４ａとを当接させることで、第２のカード２が第２の当接部４４ａに乗り上げ、接点３２ａが変形することおよび第２のカード２の電極部が破損するのを防止する。
【００７０】
その収納領域の最奥部まで挿入された第２のカード２は、排出ユニット４により排出方向に少し戻り、排出ユニット４がロック状態になることで、第２のカード２の電極部と接点３２ａとが当接した状態で保持され、再度、挿入方向に押圧されると、排出ユニット４のロックが解除され、第２のカード２が排出される。
【００７１】
次に、サイズの大きな第１のカード１を挿入した場合について、図９と図１２を用いて説明する。第１のカード１は、図１２（ａ）で示す上方向に電極部を有した面を向けて、電極部側から挿入される。第１のカード１は、図１２（ｃ）のように、図１２（ａ）の２点鎖線で示す位置Ｂである、ガイドレール３２ｃのカバー３３側の面とカード挿入口３２ｂの内側面に沿ってガイドされる。
【００７２】
第１のカード１は、図９（ｂ）のように、移動途中に第１のレバー５４および第２のレバー５５と当接し、図９（ａ）の矢印Ｄの方向へ傾倒させる。傾倒した第１のレバー５４と第２のレバー５５は、仕切板５０を下ハウジング３２の方向に押圧し、仕切板５０に押圧された支持部３２ｅが下ハウジング３２の方向に撓むことで、仕切板５０は下ハウジング３２方向に移動される。
【００７３】
第１のカード１は、図９（ｃ）のように、仕切板５０が下ハウジング３２方向に移動したことでできた仕切板５０とカバー３３との間のスペースに案内される。第１のカード１がさらに奥へ挿入されるにしたがって、仕切板５０は、仕切板５０を支持する支持部３２ｅを撓ませながら、仕切板５０と下ハウジング３２とが当接するまで仕切板５０は下ハウジング３２方向に移動する。
【００７４】
仕切板５０が下ハウジング３２に当接する位置に移動することで、接点３１ａと第１のカード１の電極部が当接可能となる。
【００７５】
下ハウジング３２と当接する位置まで移動した仕切板５０は、接点３２ａを弾性変形の範囲内で第１のカード１から遠ざかる方向へ押し倒す。これにより、接点３２ａが移動途中の第１のカード１と当接して塑性変形することはなくなる。したがって、接点３２ａの塑性変形により第２のカード２と接点３２ａとの電気的接続が不安定になることを防止する。
【００７６】
また、第１のカード１が挿入されたことで、仕切板５０が下ハウジング３２に当接する位置まで移動するとき、図１５のように、仕切板５０は可動弾性部材４４と当接する。金属板で形成されている可動弾性部材４４は、仕切板５０と当接すると押圧され、下ハウジング３２方向に撓み、第２の当接部４４ａは第１のカード１とは当接しない位置に移動する。
【００７７】
第１の当接部４１ｂよりもカード挿入口３２ｂ側に配置された第２の当接部４４ａが第１のカード１と当接しない位置に移動することで、第１のカード１は第２の当接部４４ａよりもさらに奥部に位置する第１の当接部４１ｂと当接可能となる。図１３（ｃ）のように、第１の当接部４１ｂと当接した第１のカード１は、第１の当接部４１ｂを押圧し、図１３（ｄ）のように、スライダ４１を押し込みながらその収納領域の最奥部まで挿入される。
【００７８】
この時、可動弾性部材４４の一部は図１６のように挿入途中の第１のカード１と当接し、さらに下ハウジング３２方向（図１６（ｂ）の矢印Ｃ方向）に撓み、仕切板５０から離れる。これにより、スライダ４１が移動するときに、可動弾性部材４４と仕切板５０との摩擦が無くなり、第１のカード１の挿入および排出を簡易に行なうことができる。
【００７９】
第１のカード１がその収納領域の最奥部まで挿入された時、第１のカード１は、第１の当接部４１ｂと共に、下ハウジング３２のカード挿入口３２ｂから見てその収納領域の最奥部付近に設けられた柱状部に当接し、第１のカード１は傾くことなく保持される。これにより、その収納領域の最奥部で第１のカード１が電極部以外の箇所で接点３１ａと当接し、接点３１ａが変形するのを防止する。したがって、接点３１ａの塑性変形により第１のカード１と接点３１ａとの電気的接続が不安定になることを防止する。
【００８０】
その収納領域の最奥部まで挿入された第１のカード１は、排出ユニット４により排出方向に少し戻り、排出ユニット４がロック状態になることで、電極部と接点３２ａとが当接した状態で保持され、再度、挿入方向に押圧されると、排出ユニット４のロックが解除され、排出される。
【００８１】
［第２実施形態］
以下、本発明の第２の実施形態について、図１および図１７ないし図２０を用いて説明する。図１７は、本実施形態のカード用コネクタの構造を示す分解斜視図である。図１８は、下ハウジング７２を示す図である。図１９は上ハウジング７１を示す図である。図２０は可動弾性部材７３を示す図である。
【００８２】
本実施形態のカード用コネクタは、第１実施形態のカード用コネクタにおける排出ユニット４が取り除かれ、排出ユニット４に設けていた第１の当接部４１ｂの機能と第２の当接部４４ａの機能を、収納ユニット３に設けたもので、外観は第１実施形態と同様に図１のようであり、構成は以下の通りである。
【００８３】
本実施形態のカード用コネクタは、図１７のように、カードを収納し、保持するとともに、取り付けられた電子機器（デジタルカメラなど）とカードとの間でデータの読み書きを可能とする収納ユニット７と、挿入されたカードを識別し、装着位置を切り換える識別ユニット８と、から構成される。
【００８４】
収納ユニット７は、第１のカード１の電極部と接続可能な接点７１ａを有する上ハウジング７１と、第２のカード２の電極部と接続可能な接点７２ａを有する下ハウジング７２とからなり、第１のカード１の収納領域と第２のカード２の収納領域とを合わせたカード収納領域を有するハウジング７０と、カードの厚さ方向に移動可能な可動弾性部材（金属板）７３と、前記カード収納領域上を覆うカバー７４と、からなる。
【００８５】
識別ユニット８は、第１実施形態における識別ユニット５と同様に、第１の仕切板８１と第２の仕切板８２とそれらを繋ぎ合わせる第３の仕切板８３とからなる仕切板８０と、第１の仕切板８１と下ハウジング７２とに係合する第１のレバー８４と、第２の仕切板８２と下ハウジング７２とに係合する第２のレバー８５とからなる。
【００８６】
次に、各構成部品について説明するが、上ハウジング７１、可動弾性部材７３、カバー７４および識別ユニット８は、形状および機能が第１実施形態の上ハウジング３１、可動弾性部材４４、カバー３３および識別ユニット５と同じであることから、詳細な説明は割愛する。
ただし、以下で部品や構造を説明する上で必要となる部位については、第１実施形態と同一の機能を有する部位については部位名を第１実施形態と同一とし、符号は別符号を付与して用いる。
【００８７】
下ハウジング７２は、図１８のように、外形は第１実施形態における下ハウジング３２と同様に、合成樹脂材で概略枡形状に成形されている。詳細な部位の説明は割愛し、上ハウジング３１と異なる点のみ説明する。
【００８８】
下ハウジング７２は、カード挿入口７２ｂから見てカードの挿入方向の奥中央部付近に、第１のカード１の挿入方向側先端付近と当接する第１の当接部７２ｄを有する。第１の当接部７２ｄは、内底面から略壁状に２箇所突出して形成され、第１のカード1の電極部が図１９に示す上ハウジング７１の複数の接点７１ａと電気的に接続する位置で第１のカード１と当接するように配置されている。また、カード挿入口７２ｂから見てカードの挿入方向の左奥には可動弾性部材７３を係止する可動弾性部材取付部７２ｅが形成されている。
【００８９】
次に、本実施形態のカード用コネクタの構造について説明する。ただし、第１実施形態と配置構成が異なる可動弾性部材７３についてのみ説明し、その他の部品は取り付け位置や方法が第１実施形態と同じ事から説明を割愛する。
【００９０】
可動弾性部材７３は、図２０のように、第２の当接部７３ａ、係合部７３ｂおよび補強部７３ｃが形成された当接端７３ｄが移動可能に、第２のカード２の電極部が接点７２ａと電気的に接続する位置で第２のカード２と当接するように可動弾性部材取付部７２ｅに係止端７３ｅが係止される。これにより、第２の当接部４４ａは、第１のカード１の収納領域内に配置されるとともに、第１の当接部４１ｂよりも挿入口側に配置される。
【００９１】
次に、カードの識別方法とカードとの当接位置の切り替え動作についてだが、本実施形態のカード用コネクタは、第１実施形態のカード用コネクタにおける排出ユニット４が取り除かれ、排出ユニット４が有していた第１の当接部４１ｂの機能と第２の当接部４４ａの機能を、収納ユニット３に設けた以外は第１実施形態と同一構造のため、カードの識別方法とカードとの当接位置の切り替え動作については、第１実施形態と同様に行なわれるため、説明は割愛する。
【００９２】
このように、第１実施形態および第２実施形態のカード用コネクタは、長さ寸法、幅寸法、厚さ寸法が近似したカードに対応するために、それぞれのカードに対応する接点を天面と底面に分けて配置しているものの、カードの外観寸法に対して長さ方向、幅方向、長さ方向で極端に大きくなる機構は用いていないため、複数種類のカードに対応できて、小型のカード用コネクタを提供することが可能となる。
【００９３】
また、長さの違うカードを挿入した場合でも、カード用コネクタへの挿入長さを調整することとで、外部に突出したカードの長さを統一することができる。これにより、どのカードが挿入されても、本実施形態のカード用コネクタを搭載した電子機器についているカード挿入口を塞ぐためのコネクタ用カバー（蓋）で、突出したカードの端部を保持しカードの抜け落ちを防ぐことができる。したがって、カード用コネクタからカードの抜け落ち防止機構を省くことができ、カード用コネクタの小型化、薄型化に効果を奏する。
【００９４】
なお、本発明は上記実施形態に限定されるものではなく、例えば次のように変形して実施することができ、これらの実施形態も本発明の技術的範囲に属する。
（１）上記実施形態では、生産性やコストを考慮し、第１実施形態のカード用コネクタと第２実施形態のカード用コネクタとの部品や金型を兼用としたため、外形寸法を第１実施形態と第２実施形態とで同じとしたが、排出機構を取り除いた分、さらに小型するなどしても良い。
（２）上記実施形態では、第１のカードおよび第２のカードの２種類のカードを収納可能に対応したカード用コネクタとして説明したが、これら２種類のカードに加えて他の種類のカードも収納可能にしたカード用コネクタとしても良い。この場合、追加されるカードの形状に対応しての当接部およびカードの電極部に対応しての接点を適宜追加配置することで３種類以上のカードに対応したカード用コネクタを提供できる。
【符号の説明】
【００９５】
１      第１のカード
２      第２のカード
３      収納ユニット
３０    ハウジング
３１    上ハウジング
３１ａ  接点
３２    下ハウジング
３２ａ  接点
３２ｂ  カード挿入口
３２ｃ  ガイドレール
３２ｄ  収納部
３２ｅ  支持部
３３    カバー
４      排出ユニット
４１    スライダ
４１ａ  カム溝
４１ｂ  第１の当接部
４２ｃ  腕部
４２    付勢バネ（付勢部材）
４３    ロックピン（ロック部材）
４４    可動弾性部材（金属板）
４４ａ  第２の当接部
４４ｂ  係合部
４４ｃ  補強部
４４ｄ  当接端
４４ｅ  係止端
５      識別ユニット
５０    仕切板
５１    第１の仕切板
５１ａ  第１の押圧部
５１ｂ  第１の連結部
５２    第２の仕切板
５２ａ  第２の押圧部
５２ｂ  第２の連結部
５２ｃ  リブ部
５３    第３の仕切板
５４    第１のレバー
５５    第２のレバー
７      収納ユニット
７０    ハウジング
７１    上ハウジング
７２    下ハウジング
７２ａ  接点
７２ｂ  カード挿入口
７２ｃ  ガイドレール
７２ｄ  第１の当接部
７２ｅ  可動弾性部材取付部
７３    可動弾性部材（金属板）
７３ａ  第２の当接部
７３ｂ  係合部
７３ｃ  補強部
７３ｄ  当接端
７３ｅ  係止端
７４    カバー
８      識別ユニット
８０    仕切板
８１    第１の仕切板
８１ａ  第１の押圧部
８１ｂ  第１の連結部
８２    第２の仕切板
８２ａ  第２の押圧部
８２ｂ  第２の連結部
８３    第３の仕切板
８４    第１のレバー
８５    第２のレバー
【図１】
2012124041.tif 000003
【図２】
2012124041.tif 000004
【図３】
2012124041.tif 000005
【図４】
2012124041.tif 000006
【図５】
2012124041.tif 000007
【図６】
2012124041.tif 000008
【図７】
2012124041.tif 000009
【図８】
2012124041.tif 000010
【図９】
2012124041.tif 000011
【図１０】
2012124041.tif 000012
【図１１】
2012124041.tif 000013
【図１２】
2012124041.tif 000014
【図１３】
2012124041.tif 000015
【図１４】
2012124041.tif 000016
【図１５】
2012124041.tif 000017
【図１６】
2012124041.tif 000018
【図１７】
2012124041.tif 000019
【図１８】
2012124041.tif 000020
【図１９】
2012124041.tif 000021
【図２０】
2012124041.tif 000022